【手続補正書】
【提出日】平成20年3月31日(2008.3.31)
【手続補正１】
【補正対象書類名】明細書
【補正対象項目名】特許請求の範囲
【補正方法】変更
【補正の内容】
【特許請求の範囲】
【請求項１】  処理能力検知手段と、連続的に送られるべき一連の画像データを有する画像データ列を分割して所定の数の画像データ部分列を生成するデータ分割手段と、それらの画像データ部分列を前記所定の数の伝送経路により並行して送信することが出来る送信手段とを有する第１装置と、
それらの送信された画像データ部分列を前記所定の数の伝送経路から並行して受信する受信手段と、それらの受信された画像データ部分列を前記画像データ列に復元するまたはそれらの画像データ部分列を処理する処理手段とを有する第２装置とを備え、
前記処理能力検知手段は、前記第２装置の処理能力を検知し、その検知した結果に応じて前記所定の数を決定し、
前記データ分割手段は、その決定された前記所定の数の画像データ部分列を生成するデータ処理システム。
【請求項２】  前記第２装置の処理能力を検知し、その検知した結果に応じて前記所定の数を決定するとは、その検知した結果が、前記第２装置の処理能力が前記第１装置の処理能力より低いことを示す場合、予め決められている分割数よりも少なくなるように前記所定の数を決定することである請求項１記載のデータ処理システム。
【請求項３】  前記それらの画像データ部分列を処理するとは、それらの画像データ部分列を前記画像データ列として表示することである請求項１または２に記載のデータ処理システム。
【請求項４】  処理能力検知手段と、
連続的に送られるべき一連の画像データを有する画像データ列を分割して所定の数の画像データ部分列を生成するデータ分割手段と、
それらの画像データ部分列を前記所定の数の伝送経路により並行して送信することが出来る送信手段とを備え、
前記処理能力検知手段は、それらの送信された画像データ部分列を前記所定の数の伝送経路から並行して受信する受信手段と、それらの受信された画像データ部分列を前記画像データ列に復元するまたはそれらの画像データ部分列を処理する処理手段とを有する第２装置の処理能力を検知し、その検知した結果に応じて前記所定の数を決定し、
前記データ分割手段は、その決定された前記所定の数の画像データ部分列を生成する第１装置。
【請求項５】  処理能力検知手段と、連続的に送られるべき一連の画像データを有する画像データ列を分割して所定の数の画像データ部分列を生成するデータ分割手段と、それらの画像データ部分列を前記所定の数の伝送経路により並行して送信することが出来る送信手段とを有する第１装置から送信されたそれらの画像データ部分列を前記所定の数の伝送経路から並行して受信する受信手段と、
それらの受信された画像データ部分列を前記画像データ列に復元するまたはそれらの画像データ部分列を処理する処理手段とを備え、
前記処理能力検知手段は、本第２装置の処理能力を検知し、その検知した結果に応じて前記所定の数を決定し、
前記データ分割手段は、その決定された前記所定の数の画像データ部分列を生成する第２装置。
【請求項６】  データを処理して処理結果を出力するデータ処理手段と、
出力された前記処理結果から、前記処理結果を表示するための連続的に送られるべき一連の画像データ列を生成してモニタに出力する表示データ作成手段とを備え、
前記表示データ作成手段は、請求項４記載の第１装置として機能し、
前記モニタは、請求項４記載の第２装置として機能するパーソナルコンピュータ。
【請求項７】  放送されてくる番組データを受信する受信手段と、
その受信した番組データを復調して、連続的に送られるべき一連の画像データ列を生成してテレビに出力する表示データ作成手段とを備え、
前記表示データ作成手段は、請求項４記載の第１装置として機能し、
前記テレビは、請求項４記載の第２装置として機能するチューナ。
【請求項８】  請求項１記載のデータ処理システムの、前記第１装置における、第２装置の処理能力を検知し、その検知した結果に応じて所定の数を決定する処理能力検知手段と、連続的に送られるべき一連の画像データを有する画像データ列を分割して前記所定の数の画像データ部分列を生成するデータ分割手段と、それらの画像データ部分列を前記所定の数の伝送経路により並行して送信することが出来る送信手段と、
前記第２装置における、それらの送信された画像データ部分列を前記所定の数の伝送経路から並行して受信する受信手段と、それらの受信された画像データ部分列を前記画像データ列に復元するまたはそれらの画像データ部分列を処理する処理手段としてコンピュータを機能させるプログラム。
【請求項９】  請求項４記載の第１装置の、前記第１装置から送信されたそれらの画像データ部分列を所定の数の伝送経路から並行して受信する受信手段と、それらの受信された画像データ部分列を前記画像データ列に復元するまたはそれらの画像データ部分列を処理する処理手段とを有する第２装置の処理能力を検知し、その検知した結果に応じて前記所定の数を決定する処理能力検知手段と、
連続的に送られるべき一連の画像データを有する画像データ列を分割して前記所定の数の画像データ部分列を生成するデータ分割手段と、
それらの画像データ部分列を前記所定の数の伝送経路により並行して送信することが出来る送信手段としてコンピュータを機能させるプログラム。
【請求項１０】  請求項５記載の第２装置の、前記第２装置の処理能力を検知し、その検知した結果に応じて所定の数を決定する処理能力検知手段と、連続的に送られるべき一連の画像データを有する画像データ列を分割して前記所定の数の画像データ部分列を生成するデータ分割手段と、それらの画像データ部分列を前記所定の数の伝送経路により並行して送信することが出来る送信手段とを有する第１装置から送信されたそれらの画像データ部分列を前記所定の数の伝送経路から並行して受信する受信手段と、
それらの受信された画像データ部分列を前記画像データ列に復元するまたはそれらの画像データ部分列を処理する処理手段としてコンピュータを機能させるプログラム。
【手続補正２】
【補正対象書類名】明細書
【補正対象項目名】００１４
【補正方法】変更
【補正の内容】
【００１４】
【数１】
2002300545.tif 000001
ただし、Ｔｏｔａｌ＿Ｐｉｘｅｌは、画素数であり、Ｈｏｒｉｚｏｎｔａｌ＿Ｐｉｘｅｌは、水平画素数であり、Ｖｅｒｔｉｃａｌ＿Ｌｉｎｅは、垂直ライン数である。
【手続補正３】
【補正対象書類名】明細書
【補正対象項目名】００２９
【補正方法】変更
【補正の内容】
【００２９】
【課題を解決するための手段】
上述した課題を解決するために、第１の本発明（請求項１に対応）は、処理能力検知手段と、連続的に送られるべき一連の画像データを有する画像データ列を分割して所定の数の画像データ部分列を生成するデータ分割手段と、それらの画像データ部分列を前記所定の数の伝送経路により並行して送信することが出来る送信手段とを有する第１装置と、
それらの送信された画像データ部分列を前記所定の数の伝送経路から並行して受信する受信手段と、それらの受信された画像データ部分列を前記画像データ列に復元するまたはそれらの画像データ部分列を処理する処理手段とを有する第２装置とを備え、
前記処理能力検知手段は、前記第２装置の処理能力を検知し、その検知した結果に応じて前記所定の数を決定し、
前記データ分割手段は、その決定された前記所定の数の画像データ部分列を生成するデータ処理システムである。
【手続補正４】
【補正対象書類名】明細書
【補正対象項目名】００３１
【補正方法】変更
【補正の内容】
【００３１】
また、第３の本発明（請求項３に対応）は、前記それらの画像データ部分列を処理するとは、それらの画像データ部分列を前記画像データ列として表示することである第１または２の本発明に記載のデータ処理システムである。
【手続補正５】
【補正対象書類名】明細書
【補正対象項目名】００３２
【補正方法】変更
【補正の内容】
【００３２】
また、第４の本発明（請求項４に対応）は、処理能力検知手段と、
連続的に送られるべき一連の画像データを有する画像データ列を分割して所定の数の画像データ部分列を生成するデータ分割手段と、
それらの画像データ部分列を前記所定の数の伝送経路により並行して送信することが出来る送信手段とを備え、
前記処理能力検知手段は、それらの送信された画像データ部分列を前記所定の数の伝送経路から並行して受信する受信手段と、それらの受信された画像データ部分列を前記画像データ列に復元するまたはそれらの画像データ部分列を処理する処理手段とを有する第２装置の処理能力を検知し、その検知した結果に応じて前記所定の数を決定し、
前記データ分割手段は、その決定された前記所定の数の画像データ部分列を生成する第１装置である。
【手続補正６】
【補正対象書類名】明細書
【補正対象項目名】００３３
【補正方法】削除
【補正の内容】
【手続補正７】
【補正対象書類名】明細書
【補正対象項目名】００３４
【補正方法】削除
【補正の内容】
【手続補正８】
【補正対象書類名】明細書
【補正対象項目名】００３５
【補正方法】変更
【補正の内容】
【００３５】
また、第５の本発明（請求項５に対応）は、処理能力検知手段と、連続的に送られるべき一連の画像データを有する画像データ列を分割して所定の数の画像データ部分列を生成するデータ分割手段と、それらの画像データ部分列を前記所定の数の伝送経路により並行して送信することが出来る送信手段とを有する第１装置から送信されたそれらの画像データ部分列を前記所定の数の伝送経路から並行して受信する受信手段と、
それらの受信された画像データ部分列を前記画像データ列に復元するまたはそれらの画像データ部分列を処理する処理手段とを備え、
前記処理能力検知手段は、本第２装置の処理能力を検知し、その検知した結果に応じて前記所定の数を決定し、
前記データ分割手段は、その決定された前記所定の数の画像データ部分列を生成する第２装置である。
【手続補正９】
【補正対象書類名】明細書
【補正対象項目名】００３６
【補正方法】削除
【補正の内容】
【手続補正１０】
【補正対象書類名】明細書
【補正対象項目名】００３７
【補正方法】削除
【補正の内容】
【手続補正１１】
【補正対象書類名】明細書
【補正対象項目名】００３８
【補正方法】変更
【補正の内容】
【００３８】
また、第６の本発明（請求項６に対応）は、データを処理して処理結果を出力するデータ処理手段と、
出力された前記処理結果から、前記処理結果を表示するための連続的に送られるべき一連の画像データ列を生成してモニタに出力する表示データ作成手段とを備え、
前記表示データ作成手段は、第４の本発明に記載の第１装置として機能し、
前記モニタは、第４の本発明に記載の第２装置として機能するパーソナルコンピュータ。
【手続補正１２】
【補正対象書類名】明細書
【補正対象項目名】００３９
【補正方法】変更
【補正の内容】
【００３９】
また、第７の本発明（請求項７に対応）は、放送されてくる番組データを受信する受信手段と、
その受信した番組データを復調して、連続的に送られるべき一連の画像データ列を生成してテレビに出力する表示データ作成手段とを備え、
前記表示データ作成手段は、第４の本発明に記載の第１装置として機能し、
前記テレビは、第４の本発明に記載の第２装置として機能するチューナである。
【手続補正１３】
【補正対象書類名】明細書
【補正対象項目名】００４０
【補正方法】削除
【補正の内容】
【手続補正１４】
【補正対象書類名】明細書
【補正対象項目名】００４１
【補正方法】削除
【補正の内容】
【手続補正１５】
【補正対象書類名】明細書
【補正対象項目名】００４２
【補正方法】変更
【補正の内容】
【００４２】
また、第８の本発明（請求項８に対応）は、第１の本発明に記載のデータ処理システムの、前記第１装置における、第２装置の処理能力を検知し、その検知した結果に応じて所定の数を決定する処理能力検知手段と、連続的に送られるべき一連の画像データを有する画像データ列を分割して前記所定の数の画像データ部分列を生成するデータ分割手段と、それらの画像データ部分列を前記所定の数の伝送経路により並行して送信することが出来る送信手段と、
前記第２装置における、それらの送信された画像データ部分列を前記所定の数の伝送経路から並行して受信する受信手段と、それらの受信された画像データ部分列を前記画像データ列に復元するまたはそれらの画像データ部分列を処理する処理手段としてコンピュータを機能させるプログラムである。
【手続補正１６】
【補正対象書類名】明細書
【補正対象項目名】００４３
【補正方法】変更
【補正の内容】
【００４３】
また、第９の本発明（請求項９に対応）は、第４の本発明に記載の第１装置の、前記第１装置から送信されたそれらの画像データ部分列を所定の数の伝送経路から並行して受信する受信手段と、それらの受信された画像データ部分列を前記画像データ列に復元するまたはそれらの画像データ部分列を処理する処理手段とを有する第２装置の処理能力を検知し、その検知した結果に応じて前記所定の数を決定する処理能力検知手段と、
連続的に送られるべき一連の画像データを有する画像データ列を分割して前記所定の数の画像データ部分列を生成するデータ分割手段と、
それらの画像データ部分列を前記所定の数の伝送経路により並行して送信することが出来る送信手段としてコンピュータを機能させるプログラムである。
【手続補正１７】
【補正対象書類名】明細書
【補正対象項目名】００４４
【補正方法】変更
【補正の内容】
【００４４】
また、第１０の本発明（請求項１０に対応）は、第５の本発明に記載の第２装置の、前記第２装置の処理能力を検知し、その検知した結果に応じて所定の数を決定する処理能力検知手段と、連続的に送られるべき一連の画像データを有する画像データ列を分割して前記所定の数の画像データ部分列を生成するデータ分割手段と、それらの画像データ部分列を前記所定の数の伝送経路により並行して送信することが出来る送信手段とを有する第１装置から送信されたそれらの画像データ部分列を前記所定の数の伝送経路から並行して受信する受信手段と、
それらの受信された画像データ部分列を前記画像データ列に復元するまたはそれらの画像データ部分列を処理する処理手段としてコンピュータを機能させるプログラムである。
【手続補正１８】
【補正対象書類名】明細書
【補正対象項目名】００５３
【補正方法】変更
【補正の内容】
【００５３】
解像度検知手段７はＤＤＣ（ディスプレイ・データ・チャネル）などにより、接続する表示装置の解像度情報を検知し、その情報を元に信号源１に送信回路の分割数情報を知らせる。
【手続補正１９】
【補正対象書類名】明細書
【補正対象項目名】００５４
【補正方法】変更
【補正の内容】
【００５４】
たとえば、接続する表示装置がＱＵＸＧＡであるという情報を検知すると、分割数を４として信号源１に知らせる。そうすると、データ分割回路２は、信号源１から入力されてくる一連の画像データから構成される画像データ列である信号を、入力されてくる画像データ毎に４個に分割する。例えば各画像データを表示装置で表示される場合の走査線の方向と平行な領域に分割する。その結果、信号源装置は、トランスミッタ３，４，５，６を使用して信号を伝送する。このとき、信号伝送のためのケーブルは４組必要となる。
【手続補正２０】
【補正対象書類名】明細書
【補正対象項目名】００５７
【補正方法】変更
【補正の内容】
【００５７】
また、接続する表示装置がＱＳＸＧＡであるという情報を検知すると、分割数を３として信号源１に知らせる。その結果、信号源装置１５は、トランスミッタ３，４，５を使用して信号を伝送する。このとき、信号伝送のためのケーブルは３組で済むため、当初のシステムよりも１本節約できる。
【手続補正２１】
【補正対象書類名】明細書
【補正対象項目名】００６０
【補正方法】変更
【補正の内容】
【００６０】
また、接続する表示装置がＱＸＧＡやＵＸＧＡ−Ｗｉｄｅ、ＨＤＴＶであるという情報を検知すると、分割数を２として信号源１に知らせる。その結果、信号源装置１５は、トランスミッタ３，４を使用して信号を伝送する。このとき、信号伝送のためのケーブルは２組で済むため、当初のシステムよりも２本節約できる。
【手続補正２２】
【補正対象書類名】明細書
【補正対象項目名】００６３
【補正方法】変更
【補正の内容】
【００６３】
また、接続する表示装置がＵＸＧＡや、これ以下の解像度であるという情報を検知すると、分割数を１（分割なし）として信号源１に知らせる。その結果、信号源装置１５は、トランスミッタ３のみを使用して信号を伝送する。このとき、信号伝送のためのケーブルは１組のみで済むため、当初のシステムよりも３本節約できる。
【手続補正２３】
【補正対象書類名】明細書
【補正対象項目名】００７６
【補正方法】変更
【補正の内容】
【００７６】
さらに、第５の本発明に記載の第２装置の受信手段と、前記第２装置の処理手段とを備え、前記処理手段は、復元した前記画像データ列を表示し、前記第１装置は、パーソナルコンピュータとして機能するモニタも本発明に属する。
【手続補正２４】
【補正対象書類名】明細書
【補正対象項目名】００７７
【補正方法】変更
【補正の内容】
【００７７】
さらに、第５の本発明に記載の第２装置の受信手段と、前記第２装置の処理手段とを備え、前記処理手段は、復元した前記画像データ列を表示し、前記第１装置は、チューナとして機能するテレビも本発明に属する。